(57)【要約】【課題】  複写機等の画像記録処理装置の画像読取装置が備えるコンタクトガラスが、複数の機能を備えることを可能とする。【解決手段】  透明部材の導電処理と防汚処理の配置を示したコンタクトガラス１８の断面において、導電処理層５０１の上に防汚処理層５０２を重ねた場合、コンタクトガラス１８と防汚処理層５０２と組み合わせが異なるため、導電性能／防汚性能が劣化する場合があるが、導電／防汚性能の劣化が起きない場合は導電処理層５０１の上に防汚処理層５０２を重ねることで、工程をシンプルにでき、望ましい。【選択図】        図３
2006217241.tif 000002
【特許請求の範囲】
【請求項１】
原稿束から原稿を１枚毎に分離する分離部と、分離された原稿を読取部へ搬送する搬送手段と、搬送した原稿を固定位置で読み取る読取手段と、該読取手段上に配置した搬送手段と、該搬送手段を駆動する駆動手段を備えた画像読取装置において、
前記原稿の読取位置に設ける透過性のガイド部材の前記原稿と接する側に、導電処理コーティングと防汚処理コーティングを施してなることを特徴とする画像読取装置。
【請求項２】
請求項１の画像読取装置において、前記ガイド部材が、前記導電処理コーティングを前記防汚処理コーティングよりも先に行ってなるものであることを特徴とする画像読取装置。
【請求項３】
請求項１または２の画像読取装置において、前記導電処理コーティング及び防汚処理コーティングをいずれも蒸着処理としてなることを特徴とする画像読取装置。
【請求項４】
請求項１から３のいずれかの画像読取装置において、前記ガイド部材が、前記導電処理コーティング及び防汚処理コーティングを前記原稿と接触する側の全面に施してなるものであることを特徴とする画像読取装置。
【請求項５】
請求項１から４のいずれかの画像読取装置において、前記ガイド部材が、前記導電処理コーティングを前記原稿と接触する側の全面に施し、前記防汚処理コーティングを前記原稿と接触する側の一部に施してなるものであることを特徴とする画像読取装置。
【請求項６】
請求項５の画像読取装置において、前記防汚処理コーティングを前記ガイド部材の前記読取位置近傍のみに施してなることを特徴とする画像読取装置。
【請求項７】
請求項５の画像読取装置において、前記導電処理コーティングを前記ガイド部材の一部分に施し、前記防汚処理コーティングを前記ガイド部材の全面に施してなることを特徴とする画像読取装置。
【請求項８】
原稿束から原稿を１枚毎に分離する分離部と、分離された原稿を読取部へ搬送する搬送手段と、搬送した原稿を固定位置で読み取る読取手段と、該読取手段上に配置した搬送手段と、該搬送手段を駆動する駆動手段を備えた画像読取装置において、
読取位置に設けられた透過性のガイド部材の前記原稿と接する側に防汚処理コーティングを施し、前記原稿と接しない側に導電処理を施してなることを特徴とする画像形成装置。
【請求項９】
請求項８の画像読取装置において、前記導電処理コーティング及び防汚処理コーティングを前記ガイド部材の前記それぞれの面全面に施してなることを特徴とする画像読取装置。
【請求項１０】
請求項８の画像読取装置において、前記導電処理コーティング及び防汚処理コーティングをいずれも蒸着処理としてなることを特徴とする画像読取装置。
【請求項１１】
請求項１から１０のいずれかの画像読取装置において、前記搬送手段が搬送ベルトによるものであることを特徴とする画像読取装置。
【発明の詳細な説明】
【技術分野】
【０００１】
本発明は、複写機等の画像記録処理装置の画像読取装置に関する。
【背景技術】
【０００２】
画像記録処理装置の画像読取装置においては、異物が紙粉や埃等のようなものの場合、異物はコンタクトガラス等のガイド部材に付着せずに滞留する。滞留している異物は、原稿と接触することにより読取位置からの除去が可能であり、原稿を読取位置に接触させながら搬送することで、原稿による異物除去効果が高く異物の滞留によるスジ画像の低減が可能となる。
また異物が糊やインクのようなものの場合、異物はコンタクトガラス等のガイド部材に付着する。付着したものは、様々な付着力を持つため、全ての付着物に対して原稿との接触による除去は難しく、そのため清掃を行わない限り付着し続ける可能性もあり、読取位置に付着させないことが必要となる。
しかし、原稿をコンタクトガラス等に接触させないと紙粉や埃等の異物の滞留を防止できないため、原稿とコンタクトガラス等が接触しても付着物を付かせないように、コンタクトガラス上に防汚性のあるコーティングを施す等の対策が必要となる。
一方、原稿をコンタクトガラス等に接触させながら搬送すると、搬送中にコンタクトガラス等に静電気が発生、帯電し、電気ノイズの発生や静電気による埃等のコンタクトガラスへの吸着などの不具合が生じる。除電手段として、コンタクトガラス上に導電処理をする方法が一般的であるが、コーティング材質と導電物質の組み合わせによっては、それぞれの性能を劣化させてしまうという問題がある。
【特許文献１】特許２６０５０６９号公報
【特許文献１】特開２００１−３４６０００号公報
【発明の開示】
【発明が解決しようとする課題】
【０００３】
本発明は上述した従来の不具合、すなわち導電膜と防汚膜の組み合わせによって生じる問題に対し、組み合わせ毎の成膜位置を変えることによって、狙いの性能を効果的に作用させ得るようにした画像読取装置を提供することを目的としている。
【課題を解決するための手段】
【０００４】
請求項１に係る本発明の画像読取装置は、原稿束から原稿を１枚毎に分離する分離部と、分離された原稿を読取部へ搬送する搬送手段と、搬送した原稿を固定位置で読み取る読取手段と、該読取手段上に配置した搬送手段と、該搬送手段を駆動する駆動手段を備えた画像読取装置において、前記原稿の読取位置に設ける透過性のガイド部材の前記原稿と接する側に、導電処理コーティングと防汚処理コーティングを施してなることを特徴とする。
【０００５】
同請求項２に係るものは、請求項１の画像読取装置において、前記ガイド部材が、前記導電処理コーティングを前記防汚処理コーティングよりも先に行ってなるものであることを特徴とする。
【０００６】
同請求項３に係るものは、請求項１または２の画像読取装置において、前記導電処理コーティング及び防汚処理コーティングをいずれも蒸着処理としてなることを特徴とする。
【０００７】
同請求項４に係るものは、請求項１から３のいずれかの画像読取装置において、前記ガイド部材が、前記導電処理コーティング及び防汚処理コーティングを前記原稿と接触する側の全面に施してなるものであることを特徴とする。
【０００８】
同請求項５に係るものは、請求項１から４のいずれかの画像読取装置において、前記ガイド部材が、前記導電処理コーティングを前記原稿と接触する側の全面に施し、前記防汚処理コーティングを前記原稿と接触する側の一部に施してなるものであることを特徴とする。
【０００９】
同請求項６に係るものは、請求項５の画像読取装置において、前記防汚処理コーティングを前記ガイド部材の前記読取位置近傍のみに施してなることを特徴とする。
【００１０】
同請求項７に係るものは、請求項５の画像読取装置において、前記導電処理コーティングを前記ガイド部材の一部分に施し、前記防汚処理コーティングを前記ガイド部材の全面に施してなることを特徴とする。
【００１１】
同請求項８に係るものは、原稿束から原稿を１枚毎に分離する分離部と、分離された原稿を読取部へ搬送する搬送手段と、搬送した原稿を固定位置で読み取る読取手段と、該読取手段上に配置した搬送手段と、該搬送手段を駆動する駆動手段を備えた画像読取装置において、読取位置に設けられた透過性のガイド部材の前記原稿と接する側に防汚処理コーティングを施し、前記原稿と接しない側に導電処理を施してなることを特徴とする。
【００１２】
同請求項９に係るものは、請求項８の画像読取装置において、前記導電処理コーティング及び防汚処理コーティングを前記ガイド部材の前記それぞれの面全面に施してなることを特徴とする。
【００１３】
同請求項１０に係るものは、請求項８の画像読取装置において、前記導電処理コーティング及び防汚処理コーティングをいずれも蒸着処理としてなることを特徴とする。
【００１４】
同請求項１１に係るものは、請求項１から１０のいずれかの画像読取装置において、前記搬送手段が搬送ベルトによるものであることを特徴とする。
【発明の効果】
【００１５】
本発明は、コンタクトガラスが複数の機能を備えることが可能となる。
【発明を実施するための最良の形態】
【００１６】
以下本発明を実施するための最良の形態を、図に示す実施例を参照して説明する。
【実施例１】
【００１７】
以下、図面を参照して、本発明の実施形態を詳細に説明する。図１は複写機の読み取り周辺を示す構成図である。図２は図１の複写機のコントローラを示すブロック図である。
【００１８】
通常、複写機とはいわゆるカールソンプロセスとして知られる電子写真方式の複写機を言う。すなわち、感光体ドラム（あるいはベルト、シート）上に静電潜像を形成し、それをトナーによって顕像化（現像）し、そのトナー像を紙などの転写し、その後、加圧／加熱して、トナー像を紙等に定着させて画像形成を行う記録原理のものを指している。以下に説明する本発明の原稿読み取り装置は、このような記録原理の複写機に原稿の読み取り画像情報を好適に作成し、データを送るものである。なお、近年、インクジェット記録原理も技術が完成し、カールソンプロセスとともに２大記録原理として存在している。すなわち、本発明の原稿読み取り装置は、カールソンプロセスのみならずインクジェット原理の記録装置、さらにはこの２方式以外の記録原理（例えばサーマルヘッドを利用した感熱記録方式や熱転写方式など）であっても、好適に適用されるものである。よって、本文中、複写機という表現があっても、それは、単にカールソンプロセスによるものをさすのではなく、読み取り装置を有する記録装置全般をさすものである。
【００１９】
ところで本発明が好適に適用される読み取り周辺の構成は、被読み取り原稿束１をセットする原稿セット部Ａ、セットされた原稿束から１枚毎に原稿を分離して給送する分離給送部Ｂを含んでいる。この読み取り周辺の構成は、また、給送された原稿を一次突き当て整合する働きと、整合後の原稿を引き出し搬送する働きのレジスト部Ｃ、搬送される原稿をターンさせて、原稿面を読み取り側（下方）に向けて搬送するターン部Ｄ、原稿の表面画像を、コンタクトガラス１８の下方より読み取りを行わせる第１読み取り搬送部Ｅを含んでいる。
【００２０】
さらに、読み取り周辺の構成には、読み取り後の原稿の裏面画像を読み取る第２読み取り搬送部Ｆ、表裏の読み取りが完了した原稿を機外に排出する排紙部Ｇ、読み取り完了後の原稿を積載保持するスタック部Ｈ、これら搬送動作の駆動を行う図示しない駆動部、一連の動作を制御するコントローラを含んでいる。
【００２１】
また、第１読み取り搬送部Ｅあるいは読み取り後の原稿の裏面画像を読み取る第２読み取り搬送部Ｆ近傍で読み取られた原稿の画像データは、データ送付手段によって本体制御部へ送られ、２値あるいは多値（階調）記録データとして処理する処理手段によって適宜処理される。そしてその処理後のデータは記録部に記録信号命令として送られ、記録動作が行われる。
【００２２】
読み取りを行う原稿束１をセットするのは、可動原稿テーブル３を含む原稿テーブル２上で、原稿面を上向きの状態でセットする。さらに原稿束１の巾方向を図示しないサイドガイドによって搬送方向と直行する方向の位置決めを行う。原稿のセットは、セットフィラー４、セットセンサ５により検知されＩ／Ｆにより本体制御部に送信される。さらに原稿テーブル面に設けられた原稿長さ検知センサ３０または３１（反射型センサ、または、原稿１枚でも検知可能なアクチェータ・タイプのセンサが用いられる）により原稿の搬送方向長さの概略が判定される。少なくとも同一原稿サイズの縦か横かを判断可能なセンサ配置が必要である。
【００２３】
可動原稿テーブル３は図示しない底板上昇モータにより図１に示すａ、ｂ方向に上下動可能な構成になっていて、原稿がセットされたことを前記セットフィラー４および原稿セットセンサ５により検知すると底板上昇モータを正転させて原稿束の最上面がピックアップローラ７と接触するように可動原稿テーブル３を上昇させる。
【００２４】
ピックアップローラ７は、図示しないピックアップモータによりカム機構で図１に示すｃ、ｄ方向に動作すると共に、可動テーブル３が上昇しこの可動テーブル３上の原稿上面により押されてｃ方向に上がりテーブル上昇検知センサ８により上限を検知可能となっている。
【００２５】
本体操作部よりプリントキー（図示せず）が押下され、本体制御部からＩ／Ｆを介してＡＤＦ制御部（コントローラ）に原稿給紙信号が送信されると、ピックアップローラ７は図示しない給紙モータの正転によりコロが回転駆動し、原稿テーブル２上の数枚（理想的には１枚）の原稿をピックアップする。回転方向は最上位の原稿を給紙口に搬送する方向である。給紙ベルト９は給紙モータの正転により給紙方向に駆動され、リバースローラ１０は給紙モータの正転により給紙と逆方向に回転駆動され最上位の原稿とその下の原稿を分離して、最上位の原稿のみを給紙できる構成となっている。
【００２６】
さらに詳しく説明すると、リバースローラ１０は給紙ベルト９と所定圧で接し、給紙ベルト９との直接接しているとき、または原稿１枚を介して接している状態では給紙ベルト９の回転につられて反時計方向につれ回りする。原稿が、万が一、２枚以上給紙ベルト９とリバースローラ１０の間に侵入したときは連れ回り力がトルクリミッタのトルクよりも低くなるように設定されており、リバースローラ１０は本来の駆動方向である時計方向に回転し、余分な原稿を押し戻す働きをし、重送が防止される。
【００２７】
給紙ベルト９とリバースローラ１０との作用により１枚に分離された原稿は給紙ベルト９によってさらに送られ、突き当てセンサ１１によって先端が検知されさらに進んで停止しているプルアウトローラ１２に突き当たる。その後、突き当てセンサ１１の検知から所定量定められた距離送られ、結果的には、プルアウトローラ１２に所定量撓みを持って押し当てられた状態で給紙モータを停止させることにより、給紙ベルト９の駆動が停止する。このとき、ピックアップモータを回転させることでピックアップローラを原稿上面から退避させ、原稿を給紙ベルトの搬送力のみで送ることにより、原稿先端は、プルアウトローラ１２の上下ローラ対のニップに進入し、先端の整合（スキュー補正）が行われる。
【００２８】
プルアウトローラ１２は、前記スキュー補正機能を有すると共に、分離後にスキュー補正された原稿を中間ローラ１４まで搬送するためのローラで、給紙モータの逆転により駆動される。またこのとき（給紙モータ逆転時）、プルアウトローラ１２と中間ローラ１４は駆動されるが、ピックアップローラ７と給紙ベルト９は駆動されていない。
【００２９】
原稿幅センサ１３は奥行き方向に複数個並べられ、プルアウトローラ１２により搬送された原稿の搬送方向に直行する幅方向のサイズを検知する。また、原稿の搬送方向の長さは原稿の先端後端を突き当てセンサ１１で読み取ることによりモータパルスから原稿の長さを検知する。
【００３０】
プルアウトローラ１２及び中間ローラ１４の駆動によりレジスト部Ｃからターン部Ｄに原稿が搬送されるさいには、レジスト部Ｃでの搬送速度を読み取り搬送部Ｅでの搬送速度よりも高速に設定して原稿を読み取り部へ送り込む処理時間の短縮が図られている。
【００３１】
原稿先端が読み取り入口センサ１５により検出されると、読み取り入口ローラ１６の上下ローラ対のニップに原稿先端が進入前に原稿搬送速度を読み取り搬送速度と同速にするために減速を開始する。それと同時に、図示しない読み取りモータを正転駆動して中間ローラ１４、読み取り入口ローラ１６、読み取りローラ１９、読み取り出口ローラ２３、ＣＩＳ出口ローラ２７を駆動する。
【００３２】
中間ローラ１４は給紙モータ及び読み取りモータの両方と駆動が繋がっており、中間ローラ１４にそれぞれの駆動を伝達するプーリには同じ空転方向の一方向クラッチが入っており、両方のモータが駆動している場合の回転速度は回転数の速い方に追従する。そのためレジスト部Ｃからターン部Ｄに原稿を送りこむときは、高速で駆動している給紙モータによって駆動し、給紙モータが停止しているときは読み取りモータによって駆動する。
【００３３】
原稿の先端をレジストセンサ１７で検知すると、所定の搬送距離をかけて減速し、読み取り位置２０の手前で一時停止すると共に本体制御部１１１にＩ／Ｆ１０７を介してレジスト停止信号を送信する。続いて本体制御部１１１より読み取り開始信号を受信すると、レジスト停止していた原稿は読み取り位置２０に原稿先端が到達するまでに所定の搬送速度に立ち上がるように増速されて搬送される。
【００３４】
読み取りモータ１０３のパルスカウントにより検出された原稿先端が読み取り位置２０へ到達するタイミングで、本体制御部１１１に対して第１面の副走査方向有効画像領域を示すゲート信号が読み取り位置２０を原稿後端が抜けるまで送信される。給紙モータ１０２の逆転によって原稿は後端を突き当てセンサ１１が検知してから所定量定められた距離送られ、原稿後端がプルアウトローラ１２を抜けた辺りで給紙モータ１０２の回転が正転に転じ、プルアウトローラ１２及び中間ローラ１４への駆動を停止する。このときに中間ローラ１４は読み取りモータの駆動によって駆動している。片面原稿読み取りの場合には、読み取り搬送部Ｅを通過した原稿は第２読み取り部を経て排紙部Ｇへ搬送される。このさい、排紙センサ２４により原稿の先端を検知すると、排紙モータを正転駆動して排紙ローラ２８を反時計方向に回転させる。また、排紙センサ２４による原稿の先端検知からの排紙モータパルスカウントにより、原稿後端が排紙ローラ２８の上下ローラ対のニップから抜ける直前に排紙モータ駆動速度を減速させて、排紙トレイ２９上に排出される原稿が飛び出さないように制御される。
【００３５】
両面原稿読み取りの場合には、排紙センサ２４で原稿先端を検知してから読み取りモータ１０３のパルスカウントにより第２の読み取り位置に原稿先端が到達するタイミングで第２読み取り部２５に対してＤＦ制御部から副走査方向の有効画像領域を示すゲート信号が読み取り部を原稿後端が抜けるまで送信される。第２読み取りローラ２６は第２読み取り部における原稿の浮きを抑えると同時に、第２読み取り部２５におけるシェーディングデータを取得するための基準白部を兼ねるものである。
【００３６】
図３は、透明部材の導電処理と防汚処理の配置を示した本実施例のコンタクトガラス１８の断面図である。導電処理層５０１の上に防汚処理層５０２を重ねた場合、コンタクトガラス１８と防汚処理層５０２と組み合わせが異なるため、導電性能／防汚性能が劣化する場合があるが、導電／防汚性能の劣化が起きない場合は導電処理層５０１の上に防汚処理層５０２を重ねることで、工程をシンプルにでき、望ましい。なおコンタクトガラス１８の片面のみに両処理を施すので、工程で表裏面の混同が起きないようにマーキング等の表裏判別方法が明確になっていることが必要となる。
【実施例２】
【００３７】
図４は、透明部材の導電処理と防汚処理の配置を示した本発明の第２実施例のコンタクトガラス１８の断面図である。導電処理層５０１の上に防汚処理層５０２を重ねた場合、導電材質と防汚材質の組み合わせによっては導電性能が大きく落ちる場合がある。その場合には、図示の実施例のように、全面に導電処理を行って導電処理層５０１を形成し、その上に読取位置２０近傍のみに防汚処理を行って防汚処理層５０２を形成することで必要最低限の導電性能を維持することを可能としてある。
【実施例３】
【００３８】
図５は、透明部材の導電処理と防汚処理の配置を示した本発明の第３実施例のコンタクトガラス１８の断面図である。本例も、導電処理層５０１の上に防汚処理層５０２を重ねることで、導電材質と防汚材質の組み合わせにより導電性能が大きく落ちる場合の対策とするもので、図示のように、読取位置２０近傍を除いて導電処理を行って導電処理層５０１を形成し、その上全面に防汚処理を行って防汚処理層５０２を形成することで必要最低限の防汚性能を維持することを可能としてある。
【実施例４】
【００３９】
図６は、透明部材の導電処理と防汚処理の配置を示した本発明の第４実施例のコンタクトガラス１８の断面図である。本例は、導電性能がそれほど必要でない場合には、原稿が接する面に防汚処理を施して防汚処理層５０２を形成し、その裏面に導電処理を施して導電処理層５０１を形成することで、最低限の導電性能を確保することを可能としてある。
【００４０】
すなわち、本発明の画像読取装置においては、複数の機能を有するコンタクトガラスをとし得る。また導電処理と防汚処理時にマスキングの必要がなく安価に複数の機能を備えたコンタクトガラスを製造することが可能となる。また、導電処理面が原稿と接触する必要性よりも防汚処理面を原稿と接触させる必要性の方が大きいため、導電処理膜の上に防汚処理膜を形成させることで、両方の性能を効果的に機能させることが可能となる。そして、それぞれの成膜処理を蒸着処理とすることで耐久性の高い品質を確保することが可能となる。また、防汚処理に覆われることによって導電性能が十分発揮されない場合においても、読取位置近傍で防汚性能をそれ以外で導電性能の両方の性能を効果的に機能させることが可能となる。さらに、防汚処理が導電処理の上に成膜されることで膜強度が落ちる場合においても、読取位置近傍ではコンタクトガラス上に防汚処理を施すため両方の性能を効果的に機能させることが可能となる。また、求められる導電性能が低い場合においては、それぞれの処理を異なる面の全面への処理が可能となり、マスキングを設けずにそれぞれの処理をすることが可能となり、安価に両方の性能を効果的に機能させることが可能となる。
【００４１】
なお以上の本発明の説明においては、原稿読み取り部と原稿の間の部材を便宜上コンタクトガラスと記して説明するが、本発明はガラスのみに適用されるものではないため、より厳密な表現をするならば、原稿読み取り部と原稿の間の部材は、光を透過する部材、すなわち透光性部材である。つまり、ガラスも含めアクリル樹脂等のプラスチック材料等、光を透過する部材、すなわち透光性部材全般を、便宜上コンタクトガラスと表現している。
【図面の簡単な説明】
【００４２】
【図１】複写機の読み取り周辺を示す構成図
【図２】図１の複写機のコントローラを示すブロック図
【図３】透明部材の導電処理と防汚処理の配置を示した本発明の第１実施例のコンタクトガラスの断面図
【図４】同第２実施例のコンタクトガラスの断面図
【図５】同第３実施例のコンタクトガラスの断面図
【図６】同第４実施例のコンタクトガラスの断面図
【符号の説明】
【００４３】
Ａ  原稿セット部
Ｂ  分離給送部
Ｃ  レジスト部
Ｄ  ターン部
Ｅ  第１読み取り搬送部
Ｆ  第２読み取り搬送部
Ｇ  排紙部
Ｈ  スタック部
１  原稿束
２  原稿テーブル
３  可動原稿テーブル
４  セットフィラー
５  セットセンサ
７  ピックアップローラ
８  テーブル上昇検知センサ
９  給紙ベルト
１０  リバースローラ
１１  突き当てセンサ
１２  プルアウトローラ
１３  原稿幅センサ
１４  中間ローラ
１５  読み取り入口センサ
１６  読み取り入口ローラ
１７  レジストセンサ
１８  コンタクトガラス
１９  読み取りローラ
２０  読み取り位置
２３  読み取り出口ローラ
２４  排紙センサ
２５  第２読み取り部
２６  第２読み取りローラ
２７  ＣＩＳ出口ローラ
２８  排紙ローラ
２９  排紙トレイ
３０、３１  原稿長さ検知センサ
１１１  本体制御部
１０２  給紙モータ
１０３  読み取りモータ
１０７  Ｉ／Ｆ
５０１  導電処理層
５０２  防汚処理層
【図１】
2006217241.tif 000003
【図２】
2006217241.tif 000004
【図３】
2006217241.tif 000005
【図４】
2006217241.tif 000006
【図５】
2006217241.tif 000007
【図６】
2006217241.tif 000008